(57)【要約】      （修正有）【課題】確実なシール性を得ることができるシール材の固定構造を備えたソフトシール仕切弁を提供する。【解決手段】弁体１５は、一対の円盤状弁部材２３を弁棒挿通部１８で連結した弁本体部２４と、円盤状弁部材に装着されるシール材２２と、円盤状弁部材の間に下方から挿入される挿入板部２５ｂを備えた固定部材２５と、円盤状弁部材の間に上方から挿入され、挿入板部の上端部に対向して設けられた一対の雌ネジ部材装着用突片２５ｄに係合して支持される雌ネジ部材１９と、挿入板部の両側部分に設けられたガイド部材装着部に装着されるガイド部材２１とを備えている。【選択図】図１
2015197206.tif 000002
【特許請求の範囲】
【請求項１】
弁箱の上部に、該弁箱に連通する開口部を備えた弁体収容部を連設し、前記開口部を介して弁体収容部と弁箱とに移動可能な弁体を設け、前記弁体の中央部に設けられた弁棒挿通部に挿通され、該弁棒挿通部の上端部に設けられた雌ネジ部材に螺合する弁棒の回動操作により、弁体を弁体収容部に収容したときに全開状態となり、弁体を弁箱内に下降させて該弁体に装着されたゴム製のシール材の下部シール部を弁箱内周面下半部に設けられた下向き円弧状の下部弁座に当接させるとともに、該シール材の一対の上部シール部を前記開口部の弁体収容部側の対向面にそれぞれ形成された上向き円弧状の上部弁座にそれぞれ当接させたときに全閉状態となる仕切弁において、前記弁体は、あらかじめ設定された間隔で配置した一対の円盤状弁部材の中央部を前記弁棒挿通部の周壁で連結した弁本体部と、前記円盤状弁部材にそれぞれ装着される一対のシール材と、両円盤状弁部材の間に下方から挿入される一対の挿入板部を備えた固定部材と、両円盤状弁部材の間に上方から挿入され、前記一対の挿入板部の上端部に対向して設けられた一対の雌ネジ部材装着用突片に係合して支持される雌ネジ部材と、前記円盤状弁部材の両側方から突出する前記一対の挿入板部の両側部分に設けられたガイド部材装着部にそれぞれ装着されるガイド部材とを備え、前記固定部材は、前記雌ネジ部材装着用突片に前記雌ネジ部材が係合した状態で前記弁本体部のあらかじめ設定された位置に保持されるとともに、該固定部材の下部で前記シール材の下部を弁本体部の下部に固定した状態になることを特徴とするソフトシール仕切弁。
【請求項２】
前記雌ネジ部材は、該雌ネジ部材の下部両側に突設した一対の装着用係合片が、行って来い方式で前記一対の雌ネジ部材装着用突片間に挿入されて係合することを特徴とする請求項１記載のソフトシール仕切弁。 
【発明の詳細な説明】
【技術分野】
【０００１】
本発明は、ソフトシール仕切弁に関し、詳しくは、弁本体の所定位置にシール材を装着した弁体を、管路を横切る方向に移動させて弁の開閉を行うソフトシール仕切弁における弁本体へのシール材の固定構造に関する。
【背景技術】
【０００２】
弁箱の上部に、該弁箱に連通する開口部を備えた弁体収容部を連設し、前記開口部を介して弁体収容部と弁箱とに移動可能な弁体を設け、弁体を弁体収容部に収容したときに開弁状態となり、弁体を弁箱内に下降させて弁本体に設けたシール材の下部を弁箱内周面下半部に当接させるとともに、前記シール材の上部を前記開口部の開口縁に設けた弁座に当接させたときに閉弁状態となる仕切弁が知られている。
【０００３】
前記シール材を弁本体の両面に固定する構造として、弁本体及びシール材の所定位置に複数のボルト挿通孔を形成し、弁本体の両面にシール材をそれぞれ配置して前記ボルト挿通孔にボルトを挿通し、ボルト先端にナットを螺着することにより、ボルト頭とナットとで両シール材を弁本体に固定することが行われている（例えば、特許文献１参照。）。
【先行技術文献】
【特許文献】
【０００４】
【特許文献１】特許第４５１５９０６号公報
【発明の概要】
【発明が解決しようとする課題】
【０００５】
しかし、特許文献１に記載されたシール材の固定構造では、シール材を固定するためのボルトが弁体に形成したボルト挿通孔を貫通しているため、閉弁時にボルト挿通孔を通って流体が下流側に漏れ出すおそれがあった。
【０００６】
そこで本発明は、確実なシール性を得ることができるシール材の固定構造を備えたソフトシール仕切弁を提供することを目的としている。
【課題を解決するための手段】
【０００７】
上記目的を達成するため、本発明のソフトシール仕切弁は、弁箱の上部に、該弁箱に連通する開口部を備えた弁体収容部を連設し、前記開口部を介して弁体収容部と弁箱とに移動可能な弁体を設け、前記弁体の中央部に設けられた弁棒挿通部に挿通され、該弁棒挿通部の上端部に設けられた雌ネジ部材に螺合する弁棒の回動操作により、弁体を弁体収容部に収容したときに全開状態となり、弁体を弁箱内に下降させて該弁体に装着されたゴム製のシール材の下部シール部を弁箱内周面下半部に設けられた下向き円弧状の下部弁座に当接させるとともに、該シール材の一対の上部シール部を前記開口部の弁体収容部側の対向面にそれぞれ形成された上向き円弧状の上部弁座にそれぞれ当接させたときに全閉状態となる仕切弁において、前記弁体は、あらかじめ設定された間隔で配置した一対の円盤状弁部材の中央部を前記弁棒挿通部の周壁で連結した弁本体部と、前記円盤状弁部材にそれぞれ装着される一対のシール材と、両円盤状弁部材の間に下方から挿入される一対の挿入板部を備えた固定部材と、両円盤状弁部材の間に上方から挿入され、前記一対の挿入板部の上端部に対向して設けられた一対の雌ネジ部材装着用突片に係合して支持される雌ネジ部材と、前記円盤状弁部材の両側方から突出する前記一対の挿入板部の両側部分に設けられたガイド部材装着部にそれぞれ装着されるガイド部材とを備え、前記固定部材は、前記雌ネジ部材装着用突片に前記雌ネジ部材が係合した状態で前記弁本体部のあらかじめ設定された位置に保持されるとともに、該固定部材の下部で前記シール材の下部を弁本体部の下部に固定した状態になることを特徴としている。
【０００８】
さらに、本発明のソフトシール仕切弁は、前記雌ネジ部材は、該雌ネジ部材の下部両側に突設した一対の装着用係合片が、行って来い方式で前記一対の雌ネジ部材装着用突片間に挿入されて係合することを特徴としている。
【発明の効果】
【０００９】
本発明のソフトシール仕切弁によれば、各円盤状弁部材の表面側にシール材をそれぞれ装着した後、弁本体部の下方から固定部材の挿入板部を挿入し、該挿入板部の上端部に雌ネジ部材を係合するとともに、両側部分にガイド部材を装着することによって弁体を形成することができるので、弁本体部にボルト挿通孔のような貫通孔を設ける必要がなく、閉弁時のシール性を確保することができる。さらに、ボルト、ナットの締め付けやカシメなどの加工作業を行わずに弁体を組み立てることができるので、製造コストの削減や組立時の作業性の向上を図ることができる。
【図面の簡単な説明】
【００１０】
【図１】本発明のソフトシール仕切弁の一形態例を示す弁体の分解斜視図である。
【図２】同じく弁体の斜視図である。
【図３】同じく弁体の正面図である。
【図４】同じく弁体の平面図である。
【図５】同じく弁体の底面図である。
【図６】同じく弁体の側面図である。
【図７】図３のVII−VII断面図である。
【図８】図３のVIII−VIII断面図である。
【図９】シール材を装着した弁本体部の下方から固定部材の挿入片を挿入している状態を示す説明図である。
【図１０】固定部材の挿入片の上端部に対向して設けた係合部に雌ネジ部材を係合させる手順の説明図である。
【図１１】図６のXI−XI断面図である。
【図１２】閉弁状態のソフトシール仕切弁を示す断面側面図である。
【図１３】開弁状態のソフトシール仕切弁を示す断面正面図である。
【発明を実施するための形態】
【００１１】
図１乃至図１３は、本発明のソフトシール仕切弁の一形態例を示すもので、まず、図１２及び図１３に示すように、ソフトシール仕切弁１１は、前後の配管に接続される弁箱１２と、該弁箱１２の上部に開口部１３を介して連設される弁体収容部１４と、前記開口部１３を介して弁体収容部１４と弁箱１２とに弁箱１２の軸線に対して直交する上下方向に移動可能な弁体１５と、前記弁体収容部１４の上部に設けられた操作部１６によって回動される弁棒１７とを備えている。また、弁体１５の中央部上下方向には、前記弁棒１７を挿通するための弁棒挿通部１８が設けられており、該弁棒挿通部１８の上部には、弁棒１７に螺合する雌ネジ部材１９が設けられている。さらに、弁体１５の両側部には、弁箱１２及び弁体収容部１４の両側部内面に設けたガイド溝２０にガイドされるガイド部材２１がそれぞれ装着されている。
【００１２】
このソフトシール仕切弁１１は、前記操作部１６に接続されるハンドルなどを操作して弁体１５を弁体収容部１４に収容したときに全開状態（図１３）となり、弁体１５を弁箱１２内に下降させたときに、弁箱内周面下半部に設けられた下向き円弧状の下部弁座１２ａ及び前記開口部１３の弁体収容部側の対向面にそれぞれ形成された上部弁座１３ａに、弁体１５に設けられたゴム製のシール材２２が当接することによって全閉状態（図１２）となる。また、鋳物によって形成した弁箱１２は、弁箱内に設けられる弁座を含めて全体に粉体塗装を施すことにより、弁箱１２の耐久性を大幅に向上させることができる。
【００１３】
前記弁体１５は、あらかじめ設定された間隔で平行に配置した一対の円盤状弁部材２３の中央部を前記弁棒挿通部１８の周壁で連結した弁本体部２４と、両円盤状弁部材２４の間に下方から挿入される固定部材２５と、前記雌ネジ部材１９及び前記ガイド部材２１と、弁本体部２４に装着される前記シール材２２とで形成されている。
【００１４】
円盤状弁部材２３は、上半部表面外周に円弧状のシール材上部装着用凸部２３ａを有するとともに、下半部外周にシール材下部装着用凹部２３ｂを有している。固定部材２５は、前記シール材下部装着用凹部２３ｂに装着したシール材２２の下半部を固定するための円弧状下部固定部２５ａと、弁棒挿通部１８の両側の円盤状弁部材２３，２３の間にそれぞれ挿入される挿入板部２５ｂと、各挿入板部２５ｂの上下方向中間部から円盤状弁部材２３の側方に突出したガイド部材装着部２５ｃ，２５ｃと、各挿入板部２５ｂの上端から対向状態に突出した雌ネジ部材装着用突片２５ｄ，２５ｄとを有しており、円弧状下部固定部２５ａの下端部には、前記弁棒挿通部１８の下端開口の内径に対応した内径を有するリング状部２５ｅが設けられている。
【００１５】
雌ネジ部材１９は、内周に雌ネジが設けられた円筒状の雌ネジ本体部１９ａと、該雌ネジ本体部１９ａの下部両側から側方に突出した一対の装着用係合片１９ｂ，１９ｂとを有しており、装着用係合片１９ｂ，１９ｂを前記雌ネジ部材装着用突片２５ｄ，２５ｄに係合させることによって弁体上部中央に装着される。雌ネジ本体部１９ａの外径及び装着用係合片１９ｂ，１９ｂの長さと、前記雌ネジ部材装着用突片２５ｄ，２５ｄの間の距離との関係は、装着用係合片１９ｂ，１９ｂの先端同士の距離Ａが、雌ネジ部材装着用突片２５ｄ，２５ｄの間の距離Ｂより長く設定され（図１１参照）、雌ネジ本体部１９ａの一方の装着用係合片１９ｂ側の外面と他方の装着用係合片１９ｂの先端との距離Ｃが雌ネジ部材装着用突片２５ｄ，２５ｄの間の距離Ｂと同一乃至僅かに短く設定されている（図１０参照）。
【００１６】
ガイド部材２１は、前記ガイド溝２０の内面に沿って摺動可能な外面形状に形成され、弁体側には、前記ガイド部材装着部２５ｃに嵌合する嵌合凹部２１ａが設けられている。
【００１７】
シール材２２は、前記円盤状弁部材２３の下半部に装着されて前記下部弁座１２ａに当接する円弧状の下部シール部２２ａと、前記円盤状弁部材２３の上半部に装着されて前記上部弁座１３ａに当接する円弧状の上部シール部２２ｂとを一体に形成した略円環状のものであって、上部シール部２２ｂの弁体側には、前記シール材上部装着用凸部２３ａが挿入される上部装着用凹溝部２２ｃが設けられ、下部シール部２２ａの内周側には、前記シール材下部装着用凹部２３ｂに挿入される断面逆Ｌ字状の下部装着用挿入部２２ｄが設けられている。
【００１８】
次に、前記弁本体部２４、前記固定部材２５、前記雌ネジ部材１９及び前記ガイド部材２１と前記シール材２２とを組み合わせて弁体１５を組み上げる手順を説明する。
【００１９】
まず、円盤状弁部材２３のシール材下部装着用凹部２３ｂにシール材２２の下部装着用挿入部２２ｄを下方から挿入した後、図９に示すように、シール材２２の上部装着用凹溝部２２ｃにシール材上部装着用凸部２３ａを挿入して凹凸嵌合させる。両円盤状弁部材２３にシール材２２をそれぞれ装着した後、弁本体部２４の下方から円盤状弁部材２３，２３の間に固定部材２５を挿入し、円弧状下部固定部２５ａ及びリング状部２５ｅによってシール材２２の下部装着用挿入部２２ｄをシール材下部装着用凹部２３ｂ内に固定する。
【００２０】
弁本体部２４の両側に突出したガイド部材装着部２５ｃに嵌合凹部２１ａを嵌合させて固定部材２５にガイド部材２１をそれぞれ装着する。そして、雌ネジ部材１９の装着用係合片１９ｂ，１９ｂを、行って来い方式により前記一対の雌ネジ部材装着用突片２５ｄ，２５ｄ間に挿入して係合させ、弁本体部２４の上部に雌ネジ部材１９を装着する。
【００２１】
すなわち、雌ネジ部材装着用突片２５ｄ，２５ｄへの装着用係合片１９ｂ，１９ｂの係合は、図１０に示すように、一方の装着用係合片１９ｂを一方の雌ネジ部材装着用突片２５ｄの下方に挿入し、該一方の雌ネジ部材装着用突片２５ｄの先端に雌ネジ本体部１９ａの外周面を当接させた状態にして他方の装着用係合片１９ｂが他方の雌ネジ部材装着用突片２５ｄの先端を通過するように雌ネジ部材１９を回動させた後、他方の装着用係合片１９ｂを他方の雌ネジ部材装着用突片２５ｄの下方に挿入し、雌ネジ本体部１９ａを弁棒挿通部１８の上部に位置させる。
【００２２】
これにより、弁体１５の上部中央に雌ネジ部材１９が支持されるとともに、雌ネジ部材装着用突片２５ｄ，２５ｄと装着用係合片１９ｂ，１９ｂとが係合することにより、円盤状弁部材２３，２３の間に固定部材２５が保持された状態になり、弁体１５の組み立てが終了する。この状態で、弁体１５の下半部外周にシール材２２の下部シール部２２ａが突出して下部弁座１２ａに当接可能になり、弁体１５の上半部表面外周部に上部シール部２２ｂが装着されて上部弁座１３ａに当接可能となる。このようにしてシール材２２を弁本体部２４に装着することにより、弁本体部２４に従来のようなボルト挿通孔を貫通形成する必要がないので、全閉時のシール性を確保することができ、確実なシール状態を得ることができる。
【符号の説明】
【００２３】
１１…ソフトシール仕切弁、１２…弁箱、１２ａ…下部弁座、１３…開口部、１３ａ…上部弁座、１４…弁体収容部、１５…弁体、１６…操作部、１７…弁棒、１８…弁棒挿通部、１９…雌ネジ部材、１９ａ…雌ネジ本体部、１９ｂ…装着用係合片、２０…ガイド溝、２１…ガイド部材、２１ａ…嵌合凹部、２２…シール材、２２ａ…下部シール部、２２ｂ…上部シール部、２２ｃ…上部装着用凹溝部、２２ｄ…下部装着用挿入部、２３…円盤状弁部材、２３ａ…シール材上部装着用凸部、２３ｂ…シール材下部装着用凹部、２４…弁本体部、２５…固定部材、２５ａ…円弧状下部固定部、２５ｂ…挿入板部、２５ｃ…ガイド部材装着部、２５ｄ…雌ネジ部材装着用突片、２５ｅ…リング状部 
【図１】
2015197206.tif 000003
【図２】
2015197206.tif 000004
【図３】
2015197206.tif 000005
【図４】
2015197206.tif 000006
【図５】
2015197206.tif 000007
【図６】
2015197206.tif 000008
【図７】
2015197206.tif 000009
【図８】
2015197206.tif 000010
【図９】
2015197206.tif 000011
【図１０】
2015197206.tif 000012
【図１１】
2015197206.tif 000013
【図１２】
2015197206.tif 000014
【図１３】
2015197206.tif 000015